(57)【特許請求の範囲】
【請求項１】
ユーザの歩行状態または走行状態に関する情報を表示する表示手段と、
前記ユーザの活動状態を判定する判定手段と、
前記判定手段により前記ユーザの活動状態が停止状態でないと判定された場合に、前記表示手段に表示する前記情報の表示項目の数を、前記ユーザの活動状態が停止状態と判定された場合に前記表示手段に表示する前記情報の表示項目の数よりも少なくなるように変更する表示変更手段と、
を備えることを特徴とする表示装置。
【請求項２】
前記表示変更手段は、前記判定手段により前記ユーザの活動状態が歩行状態と判定された場合に、前記表示手段に表示する前記情報の表示項目の数を、前記ユーザの活動状態が走行状態と判定された場合に前記表示手段に表示する前記情報の表示項目の数よりも多く、前記ユーザの活動状態が停止状態と判定された場合に前記表示手段に表示する前記情報の表示項目の数よりも少なくなるように変更することを特徴とする請求項１に記載の表示装置。
【請求項３】
前記ユーザの活動状態を示す指標情報を検出する指標情報検出手段をさらに備え、
前記判定手段は、前記指標情報検出手段により検出された前記指標情報に基づいて、前記ユーザの活動状態を判定することを特徴とする請求項２に記載の表示装置。
【請求項４】
前記指標情報検出手段は、加速度センサを有し、
前記判定手段は、前記加速度センサにより検出された加速度情報に基づいて、前記ユーザの活動状態が前記走行状態、前記歩行状態、前記停止状態のうちの何れの状態にあるかを判定することを特徴とする請求項３に記載の表示装置。
【請求項５】
前記走行状態、前記歩行状態、及び前記停止状態のそれぞれ状態と、前記表示項目と、を対応付けて記憶した表示項目記憶手段をさらに備え、
前記表示変更手段は、前記判定手段により判定された前記ユーザの活動状態に応じて、前記表示手段に表示する前記情報の表示項目の数と、前記表示項目記憶手段に記憶された前記表示項目に係る内容と、を変更することを特徴とする請求項４に記載の表示装置。
【請求項６】
前記表示項目記憶手段は、前記歩行状態と対応付けられて記憶されている前記情報の前記表示項目の数が、前記走行状態と対応付けられて記憶されている前記情報の前記表示項目の数よりも多く、前記停止状態と対応付けられて記憶されている前記情報の前記表示項目の数よりも少なくなるように設けられていることを特徴とする請求項５に記載の表示装置。
【請求項７】
前記表示変更手段は、前記走行状態と前記歩行状態との何れかの状態において、当該状態に対応付けられて前記表示項目記憶手段に記憶されている前記情報の前記表示項目の数に基づいて、前記表示項目に係る内容の表示を、前記表示手段の所定の表示範囲内で一度に行うことを特徴とする請求項６に記載の表示装置。
【請求項８】
前記表示変更手段は、前記停止状態において、当該停止状態に対応付けられて前記表示項目記憶手段に記憶されている前記情報の前記表示項目の数に基づいて、前記表示項目に係る内容の表示を、前記表示手段の所定の表示範囲内でスクロール表示により行うことを特徴とする請求項６又は７に記載の表示装置。
【請求項９】
当該表示装置の姿勢を検出する姿勢検出手段と、
前記姿勢検出手段により検出された姿勢に基づき、前記所定の表示範囲の位置を調整する表示位置調整手段と、
を備えることを特徴とする請求項７又は８に記載の表示装置。
【請求項１０】
ユーザの歩行状態または走行状態に関する情報を表示する表示手段を備える表示装置の表示制御方法であって、
前記ユーザの活動状態を判定する処理と、
前記ユーザの活動状態が停止状態でないと判定された場合に、前記表示手段に表示する前記情報の表示項目の数を、前記ユーザの活動状態が停止状態と判定された場合に前記表示手段に表示する前記情報の表示項目の数よりも少なくなるように変更する処理と、
を含むことを特徴とする表示制御方法。
【請求項１１】
ユーザの歩行状態または走行状態に関する情報を表示する表示手段を備える表示装置のコンピュータに、
前記ユーザの活動状態を判定する判定機能、
前記判定機能により前記ユーザの活動状態が停止状態でないと判定された場合に、前記表示手段に表示する前記情報の表示項目の数を、前記ユーザの活動状態が停止状態と判定された場合に前記表示手段に表示する前記情報の表示項目の数よりも少なくなるように変更する表示変更機能、
を実現させることを特徴とするプログラム。
【発明の詳細な説明】
【技術分野】
【０００１】
本発明は、表示装置、表示制御方法、及びプログラムに関する。
【背景技術】
【０００２】
従来、身に着けて持ち歩くことができるウエアラブル端末装置として、腕時計型のものが知られている。例えば、特許文献１には環状のフレームの略全周に亘って表示画面が配置された表示部を有する表示装置が開示されている。また、当該特許文献１には重力加速度方向を検出し、検出された当該重力加速度方向に基づいて、上記表示部の視認可能な所定位置に表示対象の表示を行う技術が開示されている。
【先行技術文献】
【特許文献】
【０００３】
【特許文献１】特開２００６−１７１４１２号公報
【発明の概要】
【発明が解決しようとする課題】
【０００４】
しかしながら、上記特許文献１に記載の表示装置では、表示対象の表示サイズや表示内容を変更することはできない。このため、表示対象の情報量が多い場合、表示部を直視し難い状況（例えば、ランニング中やウォーキング中）では、当該表示対象の表示を瞬時に把握することができないという問題がある。
【０００５】
本発明は、このような問題に鑑みてなされたものであり、状況に応じて必要とする情報を把握し易い態様で表示することができる表示装置、表示制御方法、及びプログラムを提供することを目的とする。
【課題を解決するための手段】
【０００６】
上記課題を解決するため、本発明に係る表示装置は、
ユーザの歩行状態または走行状態に関する情報を表示する表示手段と、
前記ユーザの活動状態を判定する判定手段と、
前記判定手段により前記ユーザの活動状態が停止状態でないと判定された場合に、前記表示手段に表示する前記情報の表示項目の数を、前記ユーザの活動状態が停止状態と判定された場合に前記表示手段に表示する前記情報の表示項目の数よりも少なくなるように変更する表示変更手段と、
を備えることを特徴とする。
【発明の効果】
【０００７】
本発明によれば、状況に応じて必要とする情報を把握し易い態様で表示することができる。
【図面の簡単な説明】
【０００８】
【図１】本発明を適用した一実施形態のウエアラブル端末装置の概略図である。
【図２】本発明を適用した一実施形態のウエアラブル端末装置の概略構成を示すブロック図である。
【図３】表示パネルを平面的に表した図である。
【図４】ユーザが視認しやすい表示範囲の一例を示す図である。
【図５】表示範囲における表示データの表示例を示す図である。
【図６】（ａ）は表示項目特定テーブルの一例を示す図であり、（ｂ）は表示範囲テーブルの一例を示す図である。
【図７】表示パネルの側面図である。
【図８】図１のウエアラブル端末装置による表示制御処理に係る動作の一例を示すフローチャートである。
【図９】図８の表示制御処理における表示範囲特定処理に係る動作の一例を示すフローチャートである。
【発明を実施するための形態】
【０００９】
以下に、本発明について図面を用いて具体的な態様を説明する。ただし、発明の範囲は、図示例に限定されない。
【００１０】
図１は、本発明の表示装置の一実施形態であるウエアラブル端末装置１００の外観図である。
図１に示すように、本実施形態のウエアラブル端末装置１００は、腕時計型をなしており、バンド部１と、表示部１５とを備えている。
【００１１】
バンド部１は、湾曲形状をなした樹脂製の第１バンド１ａ及び第２バンド１ｂと、これらのバンドを接合するヒンジ１ｃとから構成されている。バンド部１は、ヒンジ１ｃを介することによって、第１バンド１ａに対して第２バンド１ｂを傾動させることが可能となっている。これにより、バンド部１は、輪状をなす第１状態（図１の状態）と、輪状を解除した第２状態とに変換可能となっている。本実施形態のウエアラブル端末装置１００は、バンド部１が第２状態のときに腕に装着可能となり、第１状態に変換することにより当該装置１００を腕に固定させることができるようになっている。
【００１２】
表示部１５（後述）は、第１バンド１ａの外周面上に設けられている。また、図示は省略するが表示部１５の上には操作部１７であるタッチパネルが設けられている。
【００１３】
図２は、本実施形態のウエアラブル端末装置１００の概略構成を示すブロック図である。
図２に示すように、ウエアラブル端末装置１００は、ＣＰＵ（Central Processing Unit）１１と、ＲＯＭ（Read Only Memory）１２と、ＲＡＭ（Random Access Memory）１３と、センサ部１４と、表示部１５と、表示制御部１６と、操作部１７と、計時部１８と、電源部１９とを備えている。
【００１４】
ＣＰＵ１１は、各種演算処理を行い、ウエアラブル端末装置１００の全体動作を統括制御する。本実施形態において、ＣＰＵ１１は、表示制御部１６に対する表示制御の指示やその他実行可能な機能に係る各種動作に係る処理を行う。
【００１５】
ＲＯＭ１２は、ＣＰＵ１１が実行する種々のプログラムや初期設定データを格納する。
ＲＡＭ１３は、ＣＰＵ１１に作業用のメモリ空間を提供し、作業用の一時データを記憶する。
【００１６】
センサ部（指標情報検出手段）１４は、ウエアラブル端末装置１００を装着した人（以下、ユーザという）の活動状態を示す指標情報を検出するものであり、３軸加速度センサ１４ａを備えている。
【００１７】
３軸加速度センサ１４ａは、ウエアラブル端末装置１００に内蔵され、ユーザの運動中の動作速度の変化の割合（加速度）を示す加速度情報（指標情報）を検出し、当該加速度情報を出力する。この加速度情報は、ＲＡＭ１３の所定の記憶領域に保存される。
また、３軸加速度センサ１４ａは、各軸における加速度から重力加速度方向を示す重力加速度方向情報を検出し、当該重力加速度方向情報を出力する。この重力加速度方向情報は、ＲＡＭ１３の所定の記憶領域に保存される。
【００１８】
表示部（表示手段）１５は、表示パネル１５ａと、バックライト１５ｂとを備えている。
表示パネル１５ａは、後述するバックライト１５ｂを光源とする液晶表示装置（ＬＣＤ；Liquid Crystal Display）から構成された表示パネルである。図３は表示パネル１５ａを平面的に表した図である。図３に示すように、表示パネル１５ａは、第１〜第１０表示領域１５ａ１〜１５ａ１０の１０区分に分けることができる。本実施形態では、図４に示すように、例えば、これら第１〜第１０表示領域１５ａ１〜１５ａ１０のうち、第３〜第５表示領域１５ａ３〜１５ａ５の３つの表示領域が、ユーザから視認しやすい領域（以下、表示範囲Ｒという）として予め設定されている。
【００１９】
バックライト１５ｂは、例えば、ＬＥＤ（Light Emitting Diode）アレイなどから構成された光源装置であり、表示パネル１５ａでの表示に必要な光源としての発光動作を行う。
【００２０】
表示制御部（表示変更手段）１６は、表示用データを生成して表示部１５の表示パネル１５ａに表示させる制御を行う。
本実施形態において、表示制御部１６は、後述する判定部１６ａによりユーザの活動状態が走行状態であると判定された場合、図５（ａ）に示すように、表示パネル１５ａの所定の表示範囲Ｒにピッチ値を表示させるようにする。
また、表示制御部１６は、判定部１６ａによりユーザの活動状態が歩行状態であると判定された場合、図５（ｂ）に示すように、表示パネル１５ａの所定の表示範囲Ｒにピッチグラフ、スプリットタイム、及びカロリー値を一度に表示させるようにする。
また、表示制御部１６は、判定部１６ａによりユーザの活動状態が停止状態であると判定された場合、図５（ｃ）に示すように、表示パネル１５ａの所定の表示範囲Ｒにピッチグラフ、スプリットタイム、ラップタイム１〜３、及びカロリー値を順々に表示（スクロール表示）させるようにする。具体的には、表示制御部１６は、まずピッチグラフ、スプリットタイム、及びラップタイム１を表示させ、所定時間（例えば、３秒）が経過すると、図５（ｃ）に示す表示項目を１つ繰り上げて、スプリットタイム、ラップタイム１、及びラップタイム２を表示させるようにする。そして、表示制御部１６は、最終的にカロリー値が表示されるまで、所定時間の経過ごとに表示項目を１つずつ繰り上げて、各表示項目を表示させるようにする。
【００２１】
また、本実施形態において、表示制御部１６は、判定部１６ａと、表示項目特定テーブル１６ｂと、表示項目特定部１６ｃと、姿勢検出部１６ｄと、表示範囲テーブル１６ｅと、表示位置調整部１６ｆと、を備えている。
【００２２】
判定部（判定手段）１６ａは、３軸加速度センサ１４ａにより検出された加速度情報に基づいて、ユーザの活動状態を判定する。
具体的には、判定部１６ａは、３軸加速度センサ１４ａにより検出された加速度情報に含まれる波形信号を順次解析し、当該波形信号の信号レベルのピークに基づいて、単位時間当たりの歩数を算出する。そして、判定部１６ａは、算出された単位時間当たりの歩数の値が所定値未満の場合、歩行状態であると判定する一方、当該単位時間当たりの歩数の値が所定値以上の場合、走行状態であると判定する。また、判定部１６ａは、上記波形信号の信号レベルが所定のレベルに達していない場合、停止状態であると判定する。
【００２３】
表示項目特定テーブル（表示項目記憶手段）１６ｂは、判定部１６ａにより判定されたユーザの活動状態に対応する表示項目を定義したものである。
具体的には、図６（ａ）に示すように、表示項目特定テーブル１６ｂでは、走行状態にあるときは、表示パネル１５ａの所定の表示範囲Ｒにピッチ値を表示することが定義されている。また、歩行状態にあるときは、上記所定の表示範囲Ｒにピッチグラフ、スプリットタイム、及びカロリー値を表示することが定義されている。また、停止状態にあるときは、上記所定の表示範囲Ｒにピッチグラフ、スプリットタイム、ラップタイム１〜３、及びカロリー値を表示することが定義されている。
【００２４】
表示項目特定部１６ｃは、表示項目特定テーブル１６ｂに定義されている表示項目に基づいて、判定部１６ａにより判定されたユーザの活動状態に対応する表示項目を特定する。
例えば、判定部１６ａによりユーザの活動状態が走行状態であると判定された場合、表示項目特定部１６ｃは、図６（ａ）に示す表示項目特定テーブル１６ｂを参照し、表示項目として「ピッチ値」を特定する。
【００２５】
姿勢検出部（姿勢検出手段）１６ｄは、ウエアラブル端末装置１００の姿勢を検出する。
具体的には、姿勢検出部１６ｄは、３軸加速度センサ１４ａにより検出された重力加速度方向情報に基づき、ウエアラブル端末装置１００のピッチング角度、ローリング角度、及びヨーイング角度を算出することによって当該装置の姿勢を検出する。
【００２６】
表示範囲テーブル１６ｅは、第１〜第１０表示領域１５ａ１〜１５ａ１０のそれぞれの範囲を定義したものである。
具体的には、図６（ｂ）に示すように、表示範囲テーブル１６ｅでは、例えば、第１表示領域１５ａ１の範囲（インデックス「１」）は、弧状をなす表示パネル１５ａの当該弧の中心Ｏに対する角度θ０〜θ１（図７参照）の範囲、第２表示領域１５ａ２の範囲（インデックス「２」）は、当該弧の中心Ｏに対する角度θ１〜θ２（図７参照）の範囲、…、第１０表示領域１５ａ１０の範囲（インデックス「１０」）は、当該弧の中心Ｏに対する角度θ９〜θ１０（図７参照）の範囲と定義されている。
【００２７】
表示位置調整部（表示位置調整手段）１６ｆは、姿勢検出部１６ｄにより検出されたウエアラブル端末装置１００の姿勢に基づき、表示項目特定部１６ｃにより特定された表示項目に係る内容の表示を行う際の表示範囲Ｒの位置を調整する。
具体的には、姿勢検出部１６ｄによりウエアラブル端末装置１００のピッチング角度が検出された場合、表示位置調整部１６ｆは、表示範囲テーブル１６ｅを参照して、表示範囲の位置を、予め設定されている表示範囲Ｒ（例えば、第３〜第５表示領域１５ａ３〜１５ａ５）の位置から、当該ピッチング角度の分だけ移動した表示範囲（例えば、第５〜第７表示領域１５ａ５〜１５ａ７）の位置に調整する。
【００２８】
操作部１７は、装置本体に対して各種指示を入力するためのものである。
具体的には、操作部１７は、例えば、タイム計測を開始するためのスタートボタンや、当該タイム計測を終了するためのストップボタン、ラップタイムやスプリットタイムを計測するための所定のボタン等を備えている。また、操作部１７は、上述したように表示パネル１５ａと一体となって設けられたタッチパネルを有している。
【００２９】
計時部１８は、図示は省略するが、例えば、タイマや計時回路等を備えて構成され、現在の時刻を計時して時刻情報を取得する。そして、計時部１８は、取得した時刻情報をＣＰＵ１１に出力する。
【００３０】
電源部１９は、ウエアラブル端末装置１００の動作に係る電力を所定の電圧で供給する。電源部１９は、例えば、各種方式の電池（リチウム電池、ニッケル・水素充電池等）を具備している。本実施形態では、電源部１９からＣＰＵ１１に対して電力が供給される。
【００３１】
＜表示制御処理＞
次に、本実施形態のウエアラブル端末装置１００による表示制御処理について、図８を参照して説明する。
図８は、表示制御処理に係る動作の一例を示すフローチャートである。
【００３２】
図８に示すように、先ず、表示制御部１６は、表示範囲特定処理を実行する（ステップＳ１）。なお、表示範囲特定処理の詳細については後述する。
【００３３】
次いで、判定部１６ａは、３軸加速度センサ１４ａにより検出された加速度情報に基づいて、ユーザの活動状態を判定する（ステップＳ２）。次いで、表示項目特定部１６ｃは、表示項目特定テーブル１６ｂに定義されている表示項目に基づいて、判定部１６ａにより判定されたユーザの活動状態に対応する表示項目を特定する（ステップＳ３）。
【００３４】
次いで、表示制御部１６は、判定部１６ａにより判定されたユーザの活動状態が走行状態又は歩行状態のいずれかであるか否かを判定する（ステップＳ４）。
ステップＳ４にて、走行状態又は歩行状態のいずれかであると判定された場合（ステップＳ４；ＹＥＳ）、表示制御部１６は、表示項目特定部１６ｃにより特定された表示項目の表示用データを生成し（ステップＳ５）、生成された表示用データを表示範囲Ｒに表示し（ステップＳ６）、表示制御処理を終了する。
【００３５】
また、ステップＳ４にて、走行状態及び歩行状態のいずれでもないと判定された場合、すなわち停止状態であると判定された場合（ステップＳ４；ＮＯ）、表示制御部１６は、表示項目特定部１６ｃにより特定された表示項目の表示用データを生成し（ステップＳ７）、生成された表示用データのうち最初の３つ（ピッチグラフ、スプリットタイム、及びラップタイム１）を表示範囲Ｒに表示する（ステップＳ８）。
【００３６】
次いで、表示制御部１６は、生成された表示用データのうち最下の表示項目（カロリー値）が表示範囲Ｒに表示されたか否か、すなわち生成された表示用データが全て表示範囲Ｒに表示されたか否かを判定する（ステップＳ９）。
ステップＳ９にて、生成された表示用データのうち最下の表示項目（カロリー値）が表示範囲Ｒに表示されていないと判定された場合（ステップＳ９；ＮＯ）、表示制御部１６は、ステップＳ８の表示処理がなされてから所定時間（例えば、３秒）が経過したか否かを判定する（ステップＳ１０）。
【００３７】
ステップＳ１０にて、所定時間が経過していないと判定された場合（ステップＳ１０；ＮＯ）、所定時間が経過するまで、ステップＳ１０の判定処理を繰り返し行う。
一方、所定時間が経過したと判定された場合（ステップＳ１０；ＹＥＳ）、表示制御部１６は、表示項目特定部１６ｃにより特定された表示項目を１つ繰り下げ、該当する表示項目に係る表示用データを表示範囲Ｒに表示し（ステップＳ１１）、ステップＳ９へ戻る。
【００３８】
そして、ステップＳ９にて、生成された表示用データのうち最下の表示項目（カロリー値）が表示範囲Ｒに表示されたと判定された場合（ステップＳ９；ＹＥＳ）、表示制御処理を終了する。
【００３９】
＜表示範囲特定処理＞
次に、表示範囲特定処理について、図９を参照して詳細に説明する。
図９は、表示範囲特定処理に係る動作の一例を示すフローチャートである。
【００４０】
図９に示すように、先ず、姿勢検出部１６ｄは、ウエアラブル端末装置１００の姿勢を検出する（ステップＳ２１）。次いで、表示位置調整部１６ｆは、姿勢検出部１６ｄによりウエアラブル端末装置１００のピッチング角度が検出されたか否かを判定する（ステップＳ２２）。
【００４１】
ステップＳ２２にて、ピッチング角度が検出されていないと判定された場合（ステップＳ２２；ＮＯ）、表示位置調整部１６ｆは、予め設定されている表示範囲Ｒ（例えば、第３〜第５表示領域１５ａ３〜１５ａ５）を特定し（ステップＳ２３）、表示範囲特定処理を終了する。
一方、ピッチング角度が検出されたと判定された場合（ステップＳ２２；ＹＥＳ）、表示位置調整部１６ｆは、予め設定されている表示範囲Ｒ（例えば、第３〜第５表示領域１５ａ３〜１５ａ５）から当該ピッチング角度の分だけ移動した表示範囲を特定し（ステップＳ２４）、表示範囲特定処理を終了する。
【００４２】
以上のように、本実施形態のウエアラブル端末装置１００によれば、判定部１６ａにより判定されたユーザの活動状態に応じて、表示部１５（表示範囲Ｒ）に表示する表示項目、表示部１５に表示する当該表示項目の数、及び当該表示項目の表示態様のうち少なくともいずれか一つを変更することとなる。
従って、ユーザの活動状態に応じて必要とする情報を把握し易い態様で表示することができる。
【００４３】
また、本実施形態のウエアラブル端末装置１００によれば、判定部１６ａは、３軸加速度センサ１４ａにより検出された加速度情報に基づいて、ユーザの活動状態が走行状態、歩行状態、停止状態のうちの何れの状態にあるかを判定することとなる。
従って、ユーザが表示部１５（表示範囲Ｒ）を直視し難い走行状態や歩行状態のような場合であっても、当該状態に応じて必要とする情報を把握し易い態様で表示することができるので、ユーザが欲する情報を瞬時に把握することができる。
【００４４】
また、本実施形態のウエアラブル端末装置１００によれば、走行状態、歩行状態、及び停止状態のそれぞれ状態と、表示項目と、を対応付けて記憶した表示項目特定テーブル１６ｂと、表示項目特定テーブル１６ｂに記憶されている表示項目に基づいて、判定部１６ｂにより判定されたユーザの活動状態に対応する表示項目を特定する表示項目特定部１６ｃと、を備え、表示制御部１６は、表示項目特定部１６ｃにより特定された表示項目に係る内容の表示を行うこととなるので、表示制御部１６による表示制御処理を円滑に行うことができる。
【００４５】
また、本実施形態のウエアラブル端末装置１００によれば、表示項目特定テーブル１６ｂは、歩行状態と対応付けられて記憶されている表示項目の数が、走行状態と対応付けられて記憶されている表示項目の数よりも多く、停止状態と対応付けられて記憶されている表示項目の数よりも少なくなるように設けられている。つまり、ユーザが表示部１５（表示範囲Ｒ）を直視し難い状態になるに連れて表示項目を減らすようにしているので、ユーザの活動状態に応じて必要とする情報だけを把握し易い態様で表示することができる。
【００４６】
また、本実施形態のウエアラブル端末装置１００によれば、表示制御部１６は、走行状態と歩行状態との何れかの状態において、当該状態に対応付けられて表示項目特定テーブル１６ｂに記憶されている表示項目に係る内容の表示を、表示部１５の所定の表示範囲Ｒ内で一度に行うこととなる。
従って、ユーザが表示部１５（表示範囲Ｒ）を直視し難い走行状態や歩行状態のような場合であっても、当該状態に対応付けられて表示項目特定テーブル１６ｂに記憶されている表示項目に係る内容の表示を瞬時に把握することができる。
【００４７】
また、本実施形態のウエアラブル端末装置１００によれば、表示制御部１６は、停止状態において、当該停止状態に対応付けられて表示項目特定テーブル１６ｂに記憶されている表示項目に係る内容の表示を、表示部１５の所定の表示範囲Ｒ内でスクロール表示により行うこととなる。
従って、ユーザが表示部１５（表示範囲Ｒ）を直視し易い停止状態のような場合には、スクロール表示を行うことにより、ユーザが欲する情報を数多く表示させることができるようになる。
【００４８】
また、本実施形態のウエアラブル端末装置１００によれば、表示位置調整部１６ｆによって、姿勢検出部１６ｄにより検出された姿勢に基づき、所定の表示範囲Ｒの位置を調整することとなる。
従って、ユーザがウエアラブル端末装置１００を装着している方の腕を動かした場合に、当該腕の動きに合わせてユーザが視認し易い位置に表示範囲Ｒの位置を調整することができる。
【００４９】
なお、本発明は、上記実施形態に限定されることなく、本発明の趣旨を逸脱しない範囲において、種々の改良並びに設計の変更を行っても良い。
例えば、上記実施形態の表示項目特定テーブル１６ｂは一例であり、各状態と対応付けられている表示項目はこれらに限られない。具体的には、ウエアラブル端末装置がＧＰＳ機能を備えているような場合には、このＧＰＳ機能を活用することによって、上記の表示項目として、距離データを表示することができるようにしても良い。
【００５０】
また、上記実施形態にあっては、判定部１６ａにより判定されたユーザの活動状態が停止状態の場合、停止状態に対応付けられて記憶されている表示項目を所定時間が経過するごとにスクロール表示させるようにしたが、これ以外にも、例えばウエアラブル端末装置１００を装着している方の腕の捻り動作の大きさに応じてスクロール表示を行うようにしても良い。
【００５１】
また、上記実施形態にあっては、判定手段、表示変更手段としての機能を、メインＣＰＵ１１の制御下にて、判定部、表示制御部が駆動することにより実現される構成としたが、これに限られるものではなく、メインＣＰＵ１１によって所定のプログラム等が実行されることにより実現される構成としても良い。
すなわち、プログラムを記憶するプログラムメモリ（図示略）に、判定処理ルーチン、表示制御処理ルーチンを含むプログラムを記憶しておく。そして、判定処理ルーチンによりメインＣＰＵ１１を、センサ部１４により検出された指標情報に基づいて、ユーザの活動状態を判定する手段として機能させるようにしても良い。また、表示制御処理ルーチンによりメインＣＰＵ１１を、判定処理ルーチンにより判定された前記ユーザの活動状態に応じて、表示部１５に表示する表示項目、表示部１５に表示する当該表示項目の数、及び当該表示項目の表示態様のうち少なくともいずれか一つを変更する手段として機能させるようにしても良い。
【００５２】
また、上記実施形態にあっては、ウエアラブル端末装置を一例とし、本発明の表示装置について説明したが、このようなウエアラブル端末装置に限られることなく、例えば、携帯電話、スマートフォン、ＰＤＡのような端末装置に適用することが可能である。
【００５３】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ユーザの活動状態に関する情報を当該ユーザが視認するように表示する表示手段と、
前記ユーザの活動状態を示す指標情報を検出する指標情報検出手段と、
前記指標情報検出手段により検出された前記指標情報に基づいて、前記ユーザの活動状態を判定する判定手段と、
前記判定手段により判定された前記ユーザの活動状態に応じて、前記表示手段に表示する表示項目、前記表示手段に表示する当該表示項目の数、及び当該表示項目の表示態様のうち少なくともいずれか一つを変更する表示変更手段と、
を備えることを特徴とする表示装置。
＜請求項２＞
前記指標情報検出手段は、加速度センサを有し、
前記判定手段は、前記加速度センサにより検出された加速度情報に基づいて、前記ユーザの活動状態が走行状態、歩行状態、停止状態のうちの何れの状態にあるかを判定することを特徴とする請求項１に記載の表示装置。
＜請求項３＞
前記走行状態、前記歩行状態、及び前記停止状態のそれぞれ状態と、前記表示項目と、を対応付けて記憶した表示項目記憶手段をさらに備え、
前記表示変更手段は、前記判定手段により判定された前記ユーザの活動状態に対応して、前記表示項目記憶手段に記憶された前記表示項目に係る内容の表示を行うことを特徴とする請求項２に記載の表示装置。
＜請求項４＞
前記表示項目記憶手段は、前記歩行状態と対応付けられて記憶されている前記表示項目の数が、前記走行状態と対応付けられて記憶されている前記表示項目の数よりも多く、前記停止状態と対応付けられて記憶されている前記表示項目の数よりも少なくなるように設けられていることを特徴とする請求項３に記載の表示装置。
＜請求項５＞
前記表示変更手段は、前記走行状態と前記歩行状態との何れかの状態において、当該状態に対応付けられて前記表示項目記憶手段に記憶されている前記表示項目に係る内容の表示を、前記表示手段の所定の表示範囲内で一度に行うことを特徴とする請求項４に記載の表示装置。
＜請求項６＞
前記表示変更手段は、前記停止状態において、当該停止状態に対応付けられて前記表示項目記憶手段に記憶されている前記表示項目に係る内容の表示を、前記表示手段の所定の表示範囲内でスクロール表示により行うことを特徴とする請求項４又は５に記載の表示装置。
＜請求項７＞
当該表示装置の姿勢を検出する姿勢検出手段と、
前記姿勢検出手段により検出された姿勢に基づき、前記所定の表示範囲の位置を調整する表示位置調整手段と、
を備えることを特徴とする請求項５又は６に記載の表示装置。
＜請求項８＞
ユーザの活動状態に関する情報を表示する表示手段を備える表示装置の表示制御方法であって、
前記ユーザの活動状態を示す指標情報を検出する処理と、
検出された前記指標情報に基づいて、前記ユーザの活動状態を判定する処理と、
判定された前記ユーザの活動状態に応じて、前記表示手段に表示する表示項目、前記表示手段に表示する当該表示項目の数、及び当該表示項目の表示態様のうち少なくともいずれか一つを変更する処理と、
を含むことを特徴とする表示制御方法。
＜請求項９＞
ユーザの活動状態に関する情報を表示する表示手段を備える表示装置のコンピュータに、
前記ユーザの活動状態を示す指標情報を検出する指標情報検出機能、
前記指標情報検出機能により検出された前記指標情報に基づいて、前記ユーザの活動状態を判定する判定機能、
前記判定機能により判定された前記ユーザの活動状態に応じて、前記表示手段に表示する表示項目、前記表示手段に表示する当該表示項目の数、及び当該表示項目の表示態様のうち少なくともいずれか一つを変更する表示変更機能、
を実現させることを特徴とするプログラム。
【符号の説明】
【００５４】
１００    ウエアラブル端末装置
１１      ＣＰＵ
１４      センサ部
１４ａ    ３軸加速度センサ
１５      表示部
１５ａ    表示パネル
１６      表示制御部
１６ａ    判定部
１６ｂ    表示項目特定テーブル
１６ｃ    表示項目特定部
１６ｄ    姿勢検出部
１６ｅ    表示範囲テーブル
１６ｆ    表示位置調整部
Ｒ        表示範囲
【図１】
0006769015.tif 000002
【図２】
0006769015.tif 000003
【図３】
0006769015.tif 000004
【図４】
0006769015.tif 000005
【図５】
0006769015.tif 000006
【図６】
0006769015.tif 000007
【図７】
0006769015.tif 000008
【図８】
0006769015.tif 000009
【図９】
0006769015.tif 000010